(57)【要約】      （修正有）【課題】使い勝手の良い映像表示装置および映像表示方法を提供する。【解決手段】受信手段４７、４９と信号処理手段５１と表示手段１４とを制御する制御手段６５と、利用者の操作による操作信号を制御手段６５に供給する操作手段１７と、を備え、制御手段６５は、第１画面に第１映像を表示させ、第１画面に並ぶ第２画面に第２映像を表示させる２画面モードとする２画面表示手段ＤＹＰと、２画面モードで映像を表示している際に、前操作手段１７から供給された操作信号に応じて、第１および第２画面のサイズバランスを複数の段階で切換える２画面バランス切換手段ＳＷと、を備え、２画面バランス切換手段ＳＷは、複数の段階内の１以上の段階を省略して２画面モードで表示された第１および第２画面のサイズバランスを切換えるジャンプ切換手段ＳＷＪを備える映像表示装置。【選択図】図１
2010054840.tif 000002
【特許請求の範囲】
【請求項１】
信号を選択的に受信可能な受信手段と、
前記受信手段で受信された信号に対して所定の信号処理を行う信号処理手段と、
前記信号処理手段で処理された信号を表示可能に処理する表示手段と、
前記受信手段と前記信号処理手段と前記表示手段とを制御する制御手段と、
利用者の操作による操作信号を前記制御手段に供給する操作手段と、を備え、
前記制御手段は、第１画面に第１映像を表示させ、前記第１画面に並ぶ第２画面に第２映像を表示させる２画面モードとする２画面表示手段と、前記２画面モードで映像を表示している際に、前記操作手段から供給された操作信号に応じて、前記第１画面と前記第２画面とのサイズバランスを複数の段階で切換える２画面バランス切換手段と、を備え、
前記２画面バランス切換手段は、前記複数の段階内の１以上の段階を省略して前記２画面モードで表示された前記第１画面と前記第２画面とのサイズバランスを切換えるジャンプ切換手段を備える映像表示装置。
【請求項２】
前記ジャンプ切換手段は、前記操作手段から供給された操作信号に応じて、前記第１画面を前記複数の段階内の最大サイズとし、前記第２画面を前記複数の段階内の最小サイズとする手段を備える請求項１記載の映像表示装置。
【請求項３】
前記操作手段は、前記第１画面を前記複数の段階内の最大サイズとし、前記第２画面を前記複数の段階内の最小サイズとする操作信号を前記制御部に供給するためのキーボタンを有する請求項２記載の映像表示装置。
【請求項４】
前記ジャンプ切換手段は、前記操作手段から供給された操作信号に応じて、前記第１画面と前記第２画面とのサイズを同じとする手段を有している請求項１乃至請求項３のいずれか１項記載の映像表示装置。
【請求項５】
信号を選択的に受信可能な受信手段と、
前記受信手段で受信された信号に対して所定の信号処理を行う信号処理手段と、
前記信号処理手段で処理された信号を表示可能に処理する表示手段と、
前記受信手段と前記信号処理手段と前記表示手段とを制御する制御手段と、
利用者の操作による操作信号を前記制御手段に供給する操作手段と、を備え、
前記制御手段は、２以上の映像を表示させる多画面モードとする多画面表示手段と、前記多画面モードで映像を表示している際に、前記２以上の映像のいずれかの映像を操作対象として選択する選択手段と、前記選択手段により選択された映像が表示される画面のサイズを複数の段階で切換える切換手段と、を備え、
前記切換手段は、前記操作手段からの操作信号に応じて、前記操作対象の映像が表示される画面のサイズを１以上の段階を省略して切換えるジャンプ切換手段と、前記操作対象以外の映像が表示される画面のサイズを前記操作対象のサイズに応じて自動的に切換える手段とを備える映像表示装置。
【請求項６】
前記複数の段階は５以上の段階を含む請求項１乃至請求項５のいずれか１項記載の映像表示装置。
【請求項７】
信号を選択的に受信可能な受信手段と、
前記受信手段で受信された信号に対して所定の信号処理を行う信号処理手段と、
前記信号処理手段で処理された信号を表示可能に処理する表示手段と、
前記受信手段と前記信号処理手段と前記表示手段とを制御する制御手段と、
利用者の操作による操作信号を前記制御手段に供給する操作手段と、を備えた映像表示装置における映像表示方法であって、
第１画面に第１映像を表示させ、前記第１画面に並ぶ第２画面に第２映像を表示させて２画面モードとする２画面表示ステップと、
前記２画面モードで映像を表示している際に、前記操作手段から供給された操作信号に応じて、前記第１画面と前記第２画面とのサイズバランスを複数の段階で切換える２画面バランス切換ステップと、を備え、
前記２画面バランス切換ステップは、１以上の段階を省略して前記２画面モードで表示された前記第１画面と前記第２画面とのサイズバランスを切換えるジャンプ切換ステップを備える映像表示方法。
【請求項８】
前記ジャンプ切換ステップは、前記操作手段から供給された操作信号に応じて、前記第１画面を前記複数の段階内の最大サイズとし、前記第２画面を前記複数の段階内の最小サイズとするステップを有している請求項７記載の映像表示方法。
【請求項９】
前記ジャンプ切換ステップは、前記操作手段から供給された操作信号に応じて、前記第１画面と前記第２画面とのサイズを同じとするステップを有している請求項７または請求項８記載の映像表示方法。
【請求項１０】
前記２画面バランス切換ステップは、前記操作手段の所定のキーボタンが長押しされたか否かを判断する長押し判断ステップを有し、
前記長押し判断ステップにおいて前記所定のキーボタンが長押しされたと判断された場合に、前記ジャンプ切換ステップが行われる請求項７乃至請求項９のいずれか１項記載の映像表示方法。
【請求項１１】
前記２画面バランス切換ステップは、前記操作手段の所定のキーボタンがダブルクリックされたか否かを判断するダブルクリック判断ステップを有し、
前記ダブルクリック判断ステップにおいて前記所定のキーボタンがダブルクリックされたと判断された場合に、前記ジャンプ切換ステップが行われる請求項７乃至請求項９のいずれか１項記載の映像表示方法。
【請求項１２】
信号を選択的に受信可能な受信手段と、
前記受信手段で受信された信号に対して所定の信号処理を行う信号処理手段と、
前記信号処理手段で処理された信号を表示可能に処理する表示手段と、
前記受信手段と前記信号処理手段と前記表示手段とを制御する制御手段と、
利用者の操作による操作信号を前記制御手段に供給する操作手段と、を備え、
２以上の映像を表示させる多画面モードとする多画面表示ステップと、
前記多画面モードで映像を表示している際に、前記２以上の映像のいずれかの映像を操作対象として選択する選択ステップと、
前記選択ステップにおいて選択された映像が表示される画面のサイズを切換える切換ステップと、を備え、
前記切換ステップは、前記操作手段からの操作信号に応じて、前記操作対象の映像が表示される画面のサイズを１以上の段階を省略して切換えるジャンプ切換ステップと、前記操作対象以外の映像が表示される画面のサイズを前記操作対象のサイズに応じて自動的に切換えるステップとを備える映像表示方法。
【発明の詳細な説明】
【技術分野】
【０００１】
本発明は、映像表示装置および映像表示方法に関し、特に、多画面表示手段を有する映像表示装置およびこの映像表示装置における映像表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
複数の映像のそれぞれが表示される画面を同時に表示する多画面モードのある映像表示装置の中には、複数の映像が表示される画面のサイズを変更可能な機能を有するものがある。
【０００４】
例えば、２つの映像のそれぞれが表示される画面を左右に並べて同時に表示する２画面モードのある映像表示装置では、左右どちらか一方の映像を拡大、もう一方の映像を縮小することにより、２つの映像の画面サイズバランスを変更可能な機能を有するものが提案されている。
【０００５】
従来、２画面モードで２つの映像を表示した際に、操作者が一方の映像をズームして表示させるように左右サイズを変更した場合に、小さく表示される画面の文字サイズを大きくするとともに、文字表示と重ならないように画面サイズを自動的に変更する文字放送特殊再生装置が提案されている（特許文献１参照）。
【特許文献１】特開平１１−２３４５８７号公報
【発明の開示】
【発明が解決しようとする課題】
【０００６】
上記の文字放送特殊再生装置では、２つの画面を同じ大きさで表示させる場合と、右側の画面をズームして表示させる場合と、左側の画面をズームして表示させる場合とが開示されている。
【０００７】
しかし、２つの画面の大きさの変化をさらに多くの段階に分けた場合、画面の大きさを１段階ごとに切換えると、一方の画面を最大サイズ又は最小サイズとするために画面サイズを切換える操作を繰り返し行う必要があり、利用者にとって画面サイズを切換える操作が手間となる場合がある。
【０００８】
また、例えばリモートコントローラのカーソルキーを押している間、２つの画面の大きさのバランスが徐々に変化するようにすると、一方の画面を最大サイズ又は最小サイズとするために、画面のサイズが最大サイズ又は最小サイズに達するまでカーソルキーを押し続ける必要があり、利用者にとって画面サイズを切換える操作が手間となる場合がある。
【０００９】
本発明は、上記事情に鑑みて成されたものであって、２画面モードの画面サイズバランスを切換える操作の手間を削減し、使い勝手の良い映像表示装置および映像表示方法を提供することを目的とする。
【課題を解決するための手段】
【００１０】
本発明の第１態様による映像表示装置は、信号を選択的に受信可能な受信手段と、前記受信手段で受信された信号に対して所定の信号処理を行う信号処理手段と、前記信号処理手段で処理された信号を表示可能に処理する表示手段と、前記受信手段と前記信号処理手段と前記表示手段とを制御する制御手段と、利用者の操作による操作信号を前記制御手段に供給する操作手段と、を備え、前記制御手段は、第１画面に第１映像を表示させ、前記第１画面に並ぶ第２画面に第２映像を表示させる２画面モードとする２画面表示手段と、前記２画面モードで映像を表示している際に、前記操作手段から供給された操作信号に応じて、前記第１画面と前記第２画面とのサイズバランスを複数の段階で切換える２画面バランス切換手段と、を備え、前記２画面バランス切換手段は、前記複数の段階内の１以上の段階を省略して前記２画面モードで表示された前記第１画面と前記第２画面とのサイズバランスを切換えるジャンプ切換手段を備える。
【００１１】
本発明の第２態様による映像表示装置は、信号を選択的に受信可能な受信手段と、前記受信手段で受信された信号に対して所定の信号処理を行う信号処理手段と、前記信号処理手段で処理された信号を表示可能に処理する表示手段と、前記受信手段と前記信号処理手段と前記表示手段とを制御する制御手段と、利用者の操作による操作信号を前記制御手段に供給する操作手段と、を備え、前記制御手段は、２以上の映像を表示させる多画面モードとする多画面表示手段と、前記多画面モードで映像を表示している際に、前記２以上の映像のいずれかの映像を操作対象として選択する選択手段と、前記選択手段により選択された映像が表示される画面のサイズを複数の段階で切換える切換手段と、を備え、前記切換手段は、前記操作手段からの操作信号に応じて、前記操作対象の映像が表示される画面のサイズを１以上の段階を省略して切換えるジャンプ切換手段と、前記操作対象以外の映像が表示される画面のサイズを前記操作対象のサイズに応じて自動的に切換える手段とを備える。
【００１２】
本発明の第３態様による映像表示方法は、信号を選択的に受信可能な受信手段と、前記受信手段で受信された信号に対して所定の信号処理を行う信号処理手段と、前記信号処理手段で処理された信号を表示可能に処理する表示手段と、前記受信手段と前記信号処理手段と前記表示手段とを制御する制御手段と、利用者の操作による操作信号を前記制御手段に供給する操作手段と、を備えた映像表示装置における映像表示方法であって、第１画面に第１映像を表示させ、前記第１画面に並ぶ第２画面に第２映像を表示させて２画面モードとする２画面表示ステップと、前記２画面モードで映像を表示している際に、前記操作手段から供給された操作信号に応じて、前記第１画面と前記第２画面とのサイズバランスを複数の段階で切換える２画面バランス切換ステップと、を備え、前記２画面バランス切換ステップは、１以上の段階を省略して前記２画面モードで表示された前記第１画面と前記第２画面とのサイズバランスを切換えるジャンプ切換ステップを備える。
【００１３】
本発明の第４態様による映像表示方法は、信号を選択的に受信可能な受信手段と、前記受信手段で受信された信号に対して所定の信号処理を行う信号処理手段と、前記信号処理手段で処理された信号を表示可能に処理する表示手段と、前記受信手段と前記信号処理手段と前記表示手段とを制御する制御手段と、利用者の操作による操作信号を前記制御手段に供給する操作手段と、を備え、２以上の映像を表示させる多画面モードとする多画面表示ステップと、前記多画面モードで映像を表示している際に、前記２以上の映像のいずれかの映像を操作対象として選択する選択ステップと、前記選択ステップにおいて選択された映像が表示される画面のサイズを切換える切換ステップと、を備え、前記切換ステップは、前記操作手段からの操作信号に応じて、前記操作対象の映像が表示される画面のサイズを１以上の段階を省略して切換えるジャンプ切換ステップと、前記操作対象以外の映像が表示される画面のサイズを前記操作対象のサイズに応じて自動的に切換えるステップとを備える。
【発明の効果】
【００１４】
本発明によれば、２画面モードの画面サイズバランスを切換える操作の手間を削減し、使い勝手の良い映像表示装置および映像表示方法を提供することができる。
【発明を実施するための最良の形態】
【００１５】
以下に、本発明の第１実施形態に係る映像表示装置および映像表示方法について図面を参照して説明する。本実施形態に係る映像表示装置は、図１に示すようなデジタルテレビジョン放送受信装置１１である。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１６】
そして、このチューナ４９で選局された放送信号は、ＰＳＫ（phase shift keying）復調器５０に供給されて、デジタルの映像信号及び音声信号に復調された後、信号処理部５１に出力される。
【００１７】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００１８】
そして、このチューナ５４で選局された放送信号は、ＯＦＤＭ（orthogonal frequency division multiplexing）復調器５５に供給されて、デジタルの映像信号及び音声信号に復調された後、上記信号処理部５１に出力される。
【００１９】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、上記信号処理部５１に出力される。
【００２０】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２１】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００２２】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００２３】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力をそれぞれ画面の半分を構成するように組み合わせて出力することができる。
【００２４】
そして、グラフィック処理部５８から出力されたデジタルの映像信号は、映像処理部６２に供給される。この映像処理部６２は、入力されたデジタルの映像信号を、映像表示器１４で表示可能なフォーマットのアナログ映像信号に変換した後、映像表示器１４に出力して映像表示させるとともに、出力端子６３を介して外部に導出させる。本実施形態に係る映像表示器１４は、アスペクト比が１６：９の画面を有している。
【００２５】
また、上記音声処理部５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００２６】
ここで、このデジタルテレビジョン放送受信装置１１は、上記した各種の受信動作を含むその全ての動作を制御部６５によって統括的に制御されている。この制御部６５は、ＣＰＵ（central processing unit）等を内蔵しており、前記操作部１６からの操作情報、または、前記リモートコントローラ１７から送出され受光部１８を介して受信した操作情報を受けて、その操作内容が反映されるように各部をそれぞれ制御している。
【００２７】
この場合、制御部６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００２８】
また、制御部６５は、カードＩ／Ｆ（interface）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００２９】
また、制御部６５は、通信Ｉ／Ｆ７３を介してＬＡＮ端子２１と接続されている。これにより、制御部６５は、ＬＡＮ端子２１に接続されたＬＡＮ対応のＨＤＤ（図示せず）と、通信Ｉ／Ｆ７３を介して情報伝送を行なうことができる。この場合、制御部６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３０】
さらに、制御部６５は、第１のＨＤＭＩ Ｉ／Ｆ７４を介して第１のＨＤＭＩ端子２２と接続されている。これにより、制御部６５は、第１のＨＤＭＩ端子２２に接続された各機器（図示せず）と、第１のＨＤＭＩ Ｉ／Ｆ７４を介して情報伝送を行なうことができる。また、制御部６５は、第２のＨＤＭＩ Ｉ／Ｆ７５を介して第２のＨＤＭＩ端子２３と接続されている。これにより、制御部６５は、第２のＨＤＭＩ端子２３に接続された各機器（図示せず）と、第２のＨＤＭＩ Ｉ／Ｆ７５を介して情報伝送を行なうことができる。
【００３１】
そして、制御部６５は、ＵＳＢ Ｉ／Ｆ７６を介して前記ＵＳＢ端子２４と接続されている。これにより、制御部６５は、ＵＳＢ端子２４に接続された各機器（図示せず）と、ＵＳＢ Ｉ／Ｆ７６を介して情報伝送を行なうことができる。
【００３２】
さらに、制御部６５は、ｉ．ＬＩＮＫ Ｉ／Ｆ７７を介してｉ．ＬＩＮＫ端子２５と接続されている。これにより、制御部６５は、ｉ．ＬＩＮＫ端子２５に接続された各機器（図示せず）と、ｉ．ＬＩＮＫ Ｉ／Ｆ７７を介して情報伝送を行なうことができる。
【００３３】
さらに、制御部６５は、２つの映像のそれぞれが表示される画面を左右に並べて同時に表示する２画面モードとする２画面表示部ＤＹＰと、２画面モードで映像を表示している際に、リモートコントローラ１７からの信号に従って、左右の画面のサイズバランスを複数の段階で切換える２画面バランス切換部ＳＷと、を有している。
【００３４】
２画面バランス切換部ＳＷは、２画面モードで映像を表示している際に、１以上の段階を省略して左右の画面のサイズバランスを切換えるジャンプ切換部ＳＷＪを有している。本実施形態に係る映像表示装置では、ジャンプ切換部ＳＷＪは、リモートコントローラ１７からの信号に従って、２つの画面のいずれか一方の画面を最大サイズとし、他方の画面を最小サイズとするように画面サイズバランスを切換えるジャンプ切換部ＳＷＪを有している。
【００３５】
図２に示すように、リモートコントローラ１７は、左右のいずれか一方の画面を最大サイズとし、他方の画面を最小サイズとするように画面サイズバランスを切換るための、カーソルキーＣＳとは別のキーであるジャンプカーソルキーＪＰを有している。図２に示すように、リモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキーＣＳ（ＣＳＵ、ＣＳＤ、ＣＳＲ、ＣＳＬ）、決定キー１７ｇ、ジャンプカーソルキーＪＰ（ＪＰＵ、ＪＰＤ、ＪＰＲ、ＪＰＬ）、青、赤、緑、黄のカラーキー１７ｍ、チャンネルアップダウンキー１７ｎ、音量調整キー１７ｏ、メニューキー１７ｐ等が設けられている。
【００３６】
カーソルキーＣＳの「上」キーＣＳＵの近傍にジャンプカーソルキーＪＰの「ＪＰ上」キーＪＰＵが配置されている。カーソルキーＣＳの「下」キーの近傍にジャンプカーソルキーＪＰの「ＪＰ下」キーＪＰＤが配置されている。カーソルキーＣＳの「左」キーＣＳＬの近傍にジャンプカーソルキーの「ＪＰ左」ＪＰＬが配置されている。カーソルキーＣＳの「右」キー近傍に、ジャンプカーソルキーＪＰの「JP右」キーＪＰＲが配置されている。
【００３７】
ジャンプ切換手段ＳＷＪは、リモートコントローラ１７のジャンプカーソルキーＪＰが操作されることによって、２画面のいずれか一方の画面を最大サイズとし、他方の画面を最小サイズとするように画面サイズバランスを切換える。
【００３８】
すなわち、図３に示すように、２画面モードで映像が表示されているときに左カーソルキーＣＳＬが押された場合、２画面バランス切換部ＳＷは受光部１８を介してリモートコントローラ１７からの指令信号を受信し、左画面を１段階拡大および右画面を１段階縮小する。
【００３９】
例えば、２つの画面が同じ大きさの左右均等画面ＣＴＲが表示されているときに、左カーソルキーＣＳＬが押された場合、２画面バランス切換部ＳＷは左画面が１段階大きく右画面が１段階小さい画面Ｌに画面バランスを切換える。２画面バランス切換部ＳＷは、左最大・右最小画面ＬＬになるまで、左カーソルキーＣＳＬが押される度にこの処理を繰り返す。
【００４０】
また、２画面モードで映像が表示されているときに右カーソルキーＣＳＲが押された場合は、２画面バランス切換部ＳＷは受光部１８を介してリモートコントローラ１７からの指令信号を受信し、右画面を１段階拡大および左画面を１段階縮小する。
【００４１】
例えば、２つの画面が同じ大きさの左右均等画面ＣＴＲが表示されているときに、右カーソルキーＣＳＲが押された場合、２画面バランス切換部ＳＷは右画面が１段階大きく左画面が１段階小さい画面Ｒに画面バランスを切換える。２画面バランス切換部ＳＷは、左最小・右最大画面ＲＲになるまで、右カーソルキーＣＳＲが押される度にこの処理を繰り返す。
【００４２】
左ジャンプカーソルキーＪＰＬが押された場合は、ジャンプ切換手段ＳＷＪは受光部１８を介してリモートコントローラ１７からの指令信号を受信し、どの画面バランス状態で表示されている場合であっても、左最大・右最小画面ＬＬに画面バランスを切り換える。
【００４３】
また、右ジャンプカーソルキーＪＰＲが押された場合は、ジャンプ切換手段ＳＷＪは受光部１８を介してリモートコントローラ１７からの指令信号を受信し、どの画面バランス状態で表示されている場合であっても、左最小・右最大画面ＲＲに画面バランスを切り換える。
【００４４】
上記のように、２画面モードにおいて画面バランスを切換えることによって、利用者は画面バランスを左最大・右最小状態または左最小・右最大状態に切り換えたいと思ったとき、ジャンプカーソルキーを１回押すだけで、画面バランスを左最大・右最小状態または左最小・右最大状態に切り換えることができる。そのため、カーソルキーＣＳを何度も操作したり、カーソルキーを押し続けたりすることが必要なく、利用者にとって画面バランスを切換える操作が手間になることがない。
【００４５】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【００４６】
次に、本発明の第２実施形態に係る映像表示装置および映像表示方法について図面を参照して説明する。なお、以下の説明において上述の第１実施形態に係る映像表示装置と同様の構成については、同一の符号を付して説明を省略する。
【００４７】
本実施形態に係る映像表示装置は、上述の第１実施形態に係る映像表示装置と同様に、図１に示すようなデジタルテレビジョン放送受信装置１１である。第１実施形態に係る映像表示装置と同様に、制御部６５は、２画面表示部ＤＹＰと２画面バランス切換部ＳＷとを有している。
【００４８】
本実施形態に係る映像表示装置では、２画面バランス切換部ＳＷは、どちらか一方の画面を最大サイズ、他方を最小サイズに切り換えるか、左右の画面を均等サイズに切り換えるジャンプ切換部ＳＷＪを有している。
【００４９】
図２に示すように、リモートコントローラ１７は、左右のいずれか一方の画面を最大サイズとし、他方の画面を最小サイズとする操作と、左右の画面を均等サイズに切換える操作とを行うための、カーソルキーＣＳとは別のキーであるジャンプカーソルキーＪＰを有している。
【００５０】
２画面バランス切換部ＳＷは、ジャンプカーソルキーＪＰが押された場合、画面バランスの状態によって、どちらか一方の画面を最大サイズ、他方を最小サイズに切り換える、あるいは、左右の画面を均等サイズに切り換える。
【００５１】
すなわち、図４に示すように、２画面モードで映像が表示されているときに左カーソルキーＣＳＬが押された場合、２画面バランス切換部ＳＷは受光部１８を介してリモートコントローラ１７からの指令信号を受信し、左画面を１段階拡大および右画面を１段階縮小する。２画面バランス切換部ＳＷは、左最大・右最小画面ＬＬになるまで、左カーソルキーＣＳＬが押される度にこの処理を繰り返す。
【００５２】
また、２画面モードで映像が表示されているときに右カーソルキーＣＳＲが押された場合は、２画面バランス切換部ＳＷは受光部１８を介してリモートコントローラ１７からの指令信号を受信し、右画面を１段階拡大および左画面を１段階縮小する。２画面バランス切換部ＳＷは、左最小・右最大画面ＲＲになるまで、右カーソルキーＣＳＲが押される度にこの処理を繰り返す。
【００５３】
さらに、画面バランスが左大・右小画面Ｌまたは左右均等画面ＣＴＲである場合に、左ジャンプカーソルキーＪＰＬが押されると、ジャンプ切換部ＳＷＪは受光部１８を介してリモートコントローラ１７からの指令信号を受信し、画面バランスを左最大・右最小画面ＬＬに切り換える。
【００５４】
画面バランスが左小・右大画面Ｒまたは左最小・右最大画面ＲＲである場合に、左ジャンプカーソルキーＪＰＬが押されると、ジャンプ切換部ＳＷＪは受光部１８を介してリモートコントローラ１７からの指令信号を受信し、画面バランスを左右均等状態ＣＴＲに切り換える。
【００５５】
また、画面バランスが左小・右大画面Ｒまたは左右均等画面ＣＴＲである場合に、右ジャンプカーソルキーＪＰＲが押されると、ジャンプ切換部ＳＷＪは受光部１８を介してリモートコントローラ１７からの指令信号を受信し、画面バランスを左最小・右最大画面ＲＲに切り換える。
【００５６】
画面バランスが左大・右小画面Ｌまたは左最大・右最小画面ＬＬで、右ジャンプカーソルキーＪＰＲが押されると、ジャンプ切換部ＳＷＪは受光部１８を介してリモートコントローラ１７からの指令信号を受信し、画面バランスを左右均等画面ＣＴＲに切り換える。
【００５７】
上記のように、本実施形態に係る映像表示装置および映像表示方法によれば、利用者が画面バランスを左最大・右最小画面ＬＬまたは左最小・右最大画面ＲＲに切り換えたいと思ったとき、ジャンプカーソルキーＪＰを１回または２回押すだけで、画面バランスを左最大・右最小画面ＬＬまたは左最小・右最大画面ＲＲに切り換えることができる。また、利用者が画面バランスを左右均等画面ＣＴＲに切り換えたいと思ったとき、ジャンプカーソルキーＪＰを１回押すだけで、画面バランスを左右均等画面ＣＴＲに切換えることができる。
【００５８】
上述の第１実施形態に係る映像表示装置および映像表示方法では、ジャンプカーソルキーＪＰを１回押すだけ、画面バランスを左最大・右最小画面ＬＬまたは左最小・右最大画面ＲＲに切換えることができるが、画面バランスを左右均等画面ＣＴＲに制御するためには、カーソルキーＣＳを何回か押して、画面バランスを数段階切り換える必要がある。この操作は、左大・右小画面Ｌおよび左小・右大画面Ｒのような中間的な画面バランスが何段階もある場合は、カーソルキーを何度も押す必要があり利用者にとって手間となることがある。
【００５９】
これに対し、本実施形態に係る映像表示装置および映像表示方法によれば、利用者が画面バランスを左右均等画面ＣＴＲに切り換えたいと思ったとき、ジャンプカーソルキーＪＰを１回押すだけで、画面バランスを左右均等画面ＣＴＲに切換えることができる。そのため、カーソルキーＣＳを何度も操作したり、カーソルキーを押し続けたりすることが必要なく、利用者にとって画面バランスを切換える操作が手間になることがない。
【００６０】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【００６１】
次に、本発明の第３実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。第１実施形態に係る映像表示装置と同様に、制御部６５は、２画面表示部ＤＹＰと２画面バランス切換部ＳＷとを有している。
【００６２】
本実施形態に係る映像表示装置では、２画面バランス切換部ＳＷは、どちらか一方の画面を最大サイズ、他方を最小サイズに切り換えるか、左右の画面を均等サイズに切り換えるジャンプ切換部ＳＷＪと、カーソルキーＣＳが長押しされたか否かを判断する長押し判断手段（図示せず）とを有している。
【００６３】
本実施形態に係る映像表示装置のリモートコントローラ１７は、図５に示すように、ジャンプカーソルキーのような新たなボタンを有していない。このようなリモートコントローラ１７で、画面バランスを切り換える方法の一例について説明する。
【００６４】
すなわち、図６に示すように、２画面モードで映像が表示されているときに左カーソルキーＣＳＬが押された場合、２画面バランス切換部ＳＷは受光部１８を介してリモートコントローラ１７からの指令信号を受信し、２画面バランス切換部ＳＷの長押し判断部が左カーソルキーＣＳＬは長押しされたか否かを判断する。
【００６５】
左カーソルキーＣＳＬが長押しされていない場合には、２画面バランス切換部ＳＷは、左画面を１段階拡大および右画面を１段階縮小する。２画面バランス切換部ＳＷは、左最大・右最小画面ＬＬになるまで、左カーソルキーＣＳＬが押される度にこの処理を繰り返す。
【００６６】
画面バランスが左大・右小画面Ｌまたは左右均等画面ＣＴＲである場合に、左カーソルキーが長押しされたと判断されると、ジャンプ切換部ＳＷＪは画面バランスを左最大・右最小画面ＬＬに切り換える。
【００６７】
画面バランスが左小・右大画面Ｒまたは左最小・右最大画面ＲＲである場合に、左ジャンプカーソルキーＪＰＬが長押しされたと判断されると、ジャンプ切換部ＳＷＪは画面バランスを左右均等状態ＣＴＲに切り換える。
【００６８】
また、２画面モードで映像が表示されているときに右カーソルキーＣＳＲが押された場合は、２画面バランス切換部ＳＷは受光部１８を介してリモートコントローラ１７からの指令信号を受信し、２画面バランス切換部ＳＷの長押し判断部が右カーソルキーＣＳＲは長押しされたか否かを判断する。
【００６９】
右カーソルキーＣＳＲが長押しされていない場合には、２画面バランス切換部ＳＷは、右画面を１段階拡大および左画面を１段階縮小する。２画面バランス切換部ＳＷは、左最小・右最大画面ＲＲになるまで、右カーソルキーＣＳＲが押される度にこの処理を繰り返す。
【００７０】
また、画面バランスが左小・右大画面Ｒまたは左右均等画面ＣＴＲである場合に、右カーソルキーＣＳＲが長押しされたと判断されると、ジャンプ切換部ＳＷＪは画面バランスを左最小・右最大画面ＲＲに切り換える。
【００７１】
画面バランスが左大・右小画面Ｌまたは左最大・右最小画面ＬＬで、右カーソルキーＣＳＲが長押しされたと判断されると、ジャンプ切換部ＳＷＪは画面バランスを左右均等画面ＣＴＲに切り換える。
【００７２】
上記のように画面バランスを切換えることによって、リモートコントローラ１７に、ジャンプカーソルキーのような新たなキーボタンを付加せずに、画面バランスを一気に切り換えることができる。
【００７３】
また、カーソルキーＣＳを長押しすることで画面バランスを徐々に変化させるような場合には、利用者が中間的な画面バランスを的確に選択できる程度のスピードで、徐々に画面バランスの切り換えを実施する必要がある。そのため、左最大・右最小画面、左最小・右最大画面および左右均等画面に到達するには時間が掛かり、その間はカーソルキーＣＳを押し続ける必要がある。
【００７４】
これに対し、本実施形態に係る映像表示装置および映像表示方法では、カーソルキーＣＳの長押し時間は、画面バランスを徐々に切り換える処理とは関係がなく、カーソルキーの通常押し操作と長押し操作とのキー操作を判定することが可能な時間だけカーソルキーＣＳ押していれば良い。そのため、カーソルキーＣＳを何度も操作したり、カーソルキーを押し続けたりすることが必要なく、利用者にとって画面バランスを切換える操作が手間になることがない。
【００７５】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【００７６】
次に、本発明の第４実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。第１実施形態に係る映像表示装置と同様に、制御部６５は、２画面表示部ＤＹＰと２画面バランス切換部ＳＷとを有している。
【００７７】
本実施形態に係る映像表示装置では、２画面バランス切換部ＳＷは、どちらか一方の画面を最大サイズ、他方を最小サイズに切り換えるか、左右の画面を均等サイズに切り換えるジャンプ切換部ＳＷＪと、カーソルキーＣＳがダブルクリックされたか否かを判断するダブルクリック判断手段（図示せず）とを有している。
【００７８】
本実施形態に係る映像表示装置のリモートコントローラ１７は、図５に示すように、ジャンプカーソルキーのような新たなキーボタンを有していない。このようなリモートコントローラ１７で、画面バランスを切り換える方法の一例について説明する。
【００７９】
すなわち、図７に示すように、２画面モードで映像が表示されているときに左カーソルキーＣＳＬが押された場合、２画面バランス切換部ＳＷは受光部１８を介してリモートコントローラ１７からの指令信号を受信し、２画面バランス切換部ＳＷのダブルクリック判断部が左カーソルキーＣＳＬはダブルクリックされたか否かを判断する。
【００８０】
左カーソルキーＣＳＬがダブルクリックされていない場合には、２画面バランス切換部ＳＷは、左画面を１段階拡大および右画面を１段階縮小する。２画面バランス切換部ＳＷは、左最大・右最小画面ＬＬになるまで、左カーソルキーＣＳＬが押される度にこの処理を繰り返す。
【００８１】
画面バランスが左大・右小画面Ｌまたは左右均等画面ＣＴＲである場合に、左カーソルキーがダブルクリックされたと判断されると、ジャンプ切換部ＳＷＪは画面バランスを左最大・右最小画面ＬＬに切り換える。
【００８２】
画面バランスが左小・右大画面Ｒまたは左最小・右最大画面ＲＲである場合に、左ジャンプカーソルキーＪＰＬがダブルクリックされたと判断されると、ジャンプ切換部ＳＷＪは画面バランスを左右均等状態ＣＴＲに切り換える。
【００８３】
また、２画面モードで映像が表示されているときに右カーソルキーＣＳＲが押された場合は、２画面バランス切換部ＳＷは受光部１８を介してリモートコントローラ１７からの指令信号を受信し、２画面バランス切換部ＳＷのダブルクリック判断部が右カーソルキーＣＳＲはダブルクリックされたか否かを判断する。
【００８４】
右カーソルキーＣＳＲがダブルクリックされていない場合には、２画面バランス切換部ＳＷは、右画面を１段階拡大および左画面を１段階縮小する。２画面バランス切換部ＳＷは、左最小・右最大画面ＲＲになるまで、右カーソルキーＣＳＲが押される度にこの処理を繰り返す。
【００８５】
また、画面バランスが左小・右大画面Ｒまたは左右均等画面ＣＴＲである場合に、右カーソルキーＣＳＲがダブルクリックされたと判断されると、ジャンプ切換部ＳＷＪは画面バランスを左最小・右最大画面ＲＲに切り換える。
【００８６】
画面バランスが左大・右小画面Ｌまたは左最大・右最小画面ＬＬで、右カーソルキーＣＳＲがダブルクリックされたと判断されると、ジャンプ切換部ＳＷＪは画面バランスを左右均等画面ＣＴＲに切り換える。
【００８７】
上記のように画面バランスを切換えることによって、リモートコントローラ１７に、ジャンプカーソルキーのような新たなキーボタンを付加せずに、画面バランスを一気に切り換えることができる。
【００８８】
また、上述の第３実施形態に係る映像表示装置および映像表示方法の場合と同様に、カーソルキーＣＳを何度も操作したり、カーソルキーを押し続けたりすることが必要なく、利用者にとって画面バランスを切換える操作が手間になることがない。
【００８９】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【００９０】
次に、本発明の第５実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。第１実施形態に係る映像表示装置と同様に、制御部６５は、２画面表示部ＤＹＰと２画面バランス切換部ＳＷとを有している。
【００９１】
本実施形態に係る映像表示装置では、２画面バランス切換部ＳＷは、どちらか一方の画面を最大サイズ、他方を最小サイズに切り換えるか、左右の画面を均等サイズに切り換えるジャンプ切換部ＳＷＪを有している。
【００９２】
本実施形態に係る映像表示装置のリモートコントローラ１７は、図８に示すように、２画面バランス切換専用のキーボタンを有している。図８に示す場合では、リモートコントローラ１７は、画面バランス切換専用のキーボタンとして、「左画面最大」キーＬＭＡＸ、「左右均等」キーＥＶＮ、および、「右画面最大」キーＲＭＡＸを有している。このようなリモートコントローラ１７で画面バランスを切り換える方法の一例について説明する。
【００９３】
すなわち、図９に示すように、２画面モードで映像が表示されているときに左カーソルキーＣＳＬが押された場合、２画面バランス切換部ＳＷは受光部１８を介してリモートコントローラ１７からの指令信号を受信し、左画面を１段階拡大および右画面を１段階縮小する。２画面バランス切換部ＳＷは、左最大・右最小画面ＬＬになるまで、左カーソルキーＣＳＬが押される度にこの処理を繰り返す。
【００９４】
また、２画面モードで映像が表示されているときに右カーソルキーＣＳＲが押された場合は、２画面バランス切換部ＳＷは受光部１８を介してリモートコントローラ１７からの指令信号を受信し、右画面を１段階拡大および左画面を１段階縮小する。２画面バランス切換部ＳＷは、左最小・右最大画面ＲＲになるまで、右カーソルキーＣＳＲが押される度にこの処理を繰り返す。
【００９５】
また、２画面モードで映像が表示されているときに「左画面最大」キーＬＭＡＸが押された場合、どの画面バランス状態であっても、ジャンプ切換部ＳＷＪは左最大・右最小画面ＬＬに画面バランスを切り換える。
【００９６】
また、２画面モードで映像が表示されているときに「右画面最大」キーＲＭＡＸが押された場合、どの画面バランス状態であっても、ジャンプ切換部ＳＷＪは左最小・右最大画面ＲＲに画面バランスを切り換える。
【００９７】
さらに、２画面モードで映像が表示されているときに「左右均等」キーＥＶＮが押された場合、どの画面バランス状態であっても、ジャンプ切換部ＳＷＪは左右均等画面ＣＴＲに画面バランスを切り換える。
【００９８】
上記のように画面バランスを切換えることによって、利用者が画面バランスを左最大・右最小画面、左最小・右最大画面、あるいは、左右均等画面に切り換えたいと思ったとき、専用キーを１回押すだけで、画面バランスを左最大・右最小画面、左最小・右最大画面、あるいは、左右均等画面に切り換えることができるため、利用者が画面バランスを切り換える手間が削減される。
【００９９】
例えば、上述の第２実施形態に係る映像表示装置および映像表示方法では、現在の画面バランスの状態によっては、左右均等画面を介して左最大・右最小画面あるいは左最小・右最大画面に切換える必要があり、この場合はジャンプカーソルキーを２回押す必要があった。
【０１００】
これに対して、本実施形態に係る映像表示装置および映像表示方法では、２画面バランス切換専用のキーを付加することで、リモートコントローラ１７のキー入力操作を１回のみにすることができ、リモートコントローラ１７のキーを何度も操作したり、リモートコントローラ１７のキーを押し続けたりすることが必要なく、利用者にとって画面バランスを切換える操作が手間になることがない。
【０１０１】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【０１０２】
次に、本発明の第６実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。第１実施形態に係る映像表示装置と同様に、制御部６５は、２画面表示部ＤＹＰと２画面バランス切換部ＳＷとを有している。
【０１０３】
本実施形態に係る映像表示装置では、２画面バランス切換部ＳＷは、どちらか一方の画面を最大サイズ、他方を最小サイズに切り換えるか、左右の画面を均等サイズに切り換えるジャンプ切換部ＳＷＪを有している。
【０１０４】
本実施形態に係る映像表示装置のリモートコントローラ１７は、図１０に示すように、リモートコントローラ１７が有するキーボタンのうち、機能が割り振られていないキーボタン、あるいは、既に他の機能が割り振られているキーボタンに、画面バランス切換機能を割り振っている。
【０１０５】
図１０に示す場合では、既存のキーボタンである「青」、「赤」、「緑」のカラーキー１７ｍに画面バランス切換機能が割り振られている。図１０に示すように、「青」キーは「左最大」キーとして使用される。「赤」キーは「左右均等」キーとして使用される。「緑」キーは「右最大」キーとして使用される。
【０１０６】
例えば、カラーキー１７ｍに既に他の機能が割り振られている場合であっても、その機能が２画面モードで映像を表示している際には使用されない機能であれば、さらに画面バランス切換機能を割り振ることが可能である。このようなリモートコントローラ１７で画面バランスを切り換える方法の一例について説明する。
【０１０７】
すなわち、２画面モードで映像が表示されているときに左カーソルキーＣＳＬが押された場合、２画面バランス切換部ＳＷは受光部１８を介してリモートコントローラ１７からの指令信号を受信し、左画面を１段階拡大および右画面を１段階縮小する。２画面バランス切換部ＳＷは、左最大・右最小画面ＬＬになるまで、左カーソルキーＣＳＬが押される度にこの処理を繰り返す。
【０１０８】
また、２画面モードで映像が表示されているときに右カーソルキーＣＳＲが押された場合は、２画面バランス切換部ＳＷは受光部１８を介してリモートコントローラ１７からの指令信号を受信し、右画面を１段階拡大および左画面を１段階縮小する。２画面バランス切換部ＳＷは、左最小・右最大画面ＲＲになるまで、右カーソルキーＣＳＲが押される度にこの処理を繰り返す。
【０１０９】
また、２画面モードで映像が表示されているときに「青」キー（「左最大」キー）が押された場合、どの画面バランス状態であっても、ジャンプ切換部ＳＷＪは左最大・右最小画面ＬＬに画面バランスを切り換える。
【０１１０】
また、２画面モードで映像が表示されているときに「緑」キー（「右最大」キー）が押された場合、どの画面バランス状態であっても、ジャンプ切換部ＳＷＪは左最小・右最大画面ＲＲに画面バランスを切り換える。
【０１１１】
さらに、２画面モードで映像が表示されているときに「赤」キー（「左右均等」キー）が押された場合、どの画面バランス状態であっても、ジャンプ切換部ＳＷＪは左右均等画面ＣＴＲに画面バランスを切り換える。
【０１１２】
上記のように画面バランスを切換えることによって、リモートコントローラ１７に新たなボタンを配置することなく、利用者が画面バランスを左最大・右最小画面、左最小・右最大画面、あるいは、左右均等画面に切り換えたいと思ったとき、専用キーを１回押すだけで、画面バランスを左最大・右最小画面、左最小・右最大画面、あるいは、左右均等画面に切り換えることができるため、利用者が画面バランスを切り換える手間が削減される。
【０１１３】
上述の第５実施形態に係る映像表示装置および映像表示方法と同様に、本実施形態に係る映像表示装置および映像表示方法では、２画面バランス切換機能を既存のキーボタンに割り振ることで、リモートコントローラ１７のキー入力操作を１回のみにすることができ、リモートコントローラ１７のキーを何度も操作したり、リモートコントローラ１７のキーを押し続けたりすることが必要なく、利用者にとって画面バランスを切換える操作が手間になることがない。
【０１１４】
すなわち、本実施形態に係る映像表示装置および映像表示方法によれば、２画面モードの画面サイズバランスを切換える操作の手間を削減し、使い勝手の良い映像表示装置および映像表示方法を提供することができる。
【０１１５】
なお、この発明は、上記実施形態そのままに限定されるものではなく、実施段階ではその要旨を逸脱しない範囲で構成要素を変形して具体化できる。例えば、上記の映像表示装置は、ディスプレイ画面を有する映像表示器１４を一体に備えていたが、ディスプレイが面は映像表示器１４の外部に接続されるものであっても良い。
【０１１６】
上記の第１乃至第６実施形態に係る映像表示装置では、制御部６５が２画面モードとする２画面表示手段ＤＹＰを有していたが、２画面以上の多画面表示をさせる手段を有していても良い。
【０１１７】
２画面以上の多画面映像を表示している場合には、制御部６５は、多画面表示させる多画面表示手段と、多画面映像のうちどの映像に対して操作を実施するか、つまり操作権のある映像を選択する選択手段と、操作権のある映像に対して複数の段階で画面サイズ切換を実施する切換手段を備える。
【０１１８】
この切換手段は、操作権のある映像が表示される画面について、複数の段階のうちの１以上の段階を省略して画面サイズを切換えるジャンプ切換手段を備える。例えば、ジャンプ切換手段は、操作権のある映像が表示される画面のサイズを、複数の段階内の最大サイズまたは最小サイズに切り換える手段を備える。
【０１１９】
この場合、操作権のある映像については、最大サイズまたは最小サイズになるが、このとき、切換手段は、操作権ない残りの映像が表示される画面のサイズについては、表示バランスを考慮して自動的に画面の位置サイズを変更して画面バランスを切換える。
【０１２０】
このように多画面の画面サイズを切換えることによって、画面サイズバランスを切換える操作の手間を削減するとともに、複数の映像の中で操作権のある映像を切換えることによって、利用者に多様な映像表示を提供することができる。
【０１２１】
なお、上記の第１乃至第６実施形態に係る映像表示装置および映像表示方法では、２つの画面の画面バランスを５段階で切換えていたが、５以上の段階で画面バランスを切換えても良い。２つの画面のサイズが同じ画面と、いずれかの画面の大きさが最大である画面との間にある画面バランスの段階が多い場合には、ジャンプ切換手段ＳＷＪによって複数の段階を省略して画面バランスを切換えることができ、利用者の手間をより削減することができる。
【０１２２】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【０１２３】
【図１】本発明の一実施形態に係る映像表示装置の一構成例を説明するための図。
【図２】本発明の第１実施形態に係る映像表示装置のリモートコントローラの一構成例を説明するための図。
【図３】本発明の第１実施形態に係る映像表示装置において２画面モードで映像を表示したときの画面バランス切換方法の一例について説明するための図。
【図４】本発明の第２実施形態に係る映像表示装置において２画面モードで映像を表示したときの画面バランス切換方法の一例について説明するための図。
【図５】本発明の第３実施形態に係る映像表示装置のリモートコントローラの一構成例を説明するための図。
【図６】本発明の第３実施形態に係る映像表示装置において２画面モードで映像を表示したときの画面バランス切換方法の一例について説明するための図。
【図７】本発明の第４実施形態に係る映像表示装置において２画面モードで映像を表示したときの画面バランス切換方法の一例について説明するための図。
【図８】本発明の第５実施形態に係る映像表示装置のリモートコントローラの一構成例を説明するための図。
【図９】本発明の第５実施形態に係る映像表示装置において２画面モードで映像を表示したときの画面バランス切換方法の一例について説明するための図。
【図１０】本発明の第６実施形態に係る映像表示装置のリモートコントローラの一構成例を説明するための図。
【符号の説明】
【０１２４】
ＤＹＰ…２画面表示部、ＳＷ…２画面バランス切換部、ＳＷＪ…ジャンプ切換部、１１…デジタルテレビジョン放送受信装置（映像表示装置）、１４…映像表示器、１７…リモートコントローラ、４７…アンテナ、４９…チューナ、５１…信号処理部、５２…アンテナ、５４…チューナ、６５…制御部
【図１】
2010054840.tif 000003
【図２】
2010054840.tif 000004
【図３】
2010054840.tif 000005
【図４】
2010054840.tif 000006
【図５】
2010054840.tif 000007
【図６】
2010054840.tif 000008
【図７】
2010054840.tif 000009
【図８】
2010054840.tif 000010
【図９】
2010054840.tif 000011
【図１０】
2010054840.tif 000012